(57)【要約】【課題】ダーツゲームに使用する矢に、先端部を丸く加工した樹脂製の矢を使用し、なおかつその矢が刺さりやすい加工を施したダーツボードを使用することで、初心者でも楽しめる安全なダーツゲーム用具を提供する。【解決手段】矢の先端に交換が容易な先端部（１）を取り付け、ボード部にはその先端部に対応した直径の穴を連続的かつ無数に穿つ（４）。その穴の周囲にはすり鉢状の加工を施すことで、穴の正面に対し矢がずれて投てきされた場合にも、その投てきの際に得た矢の推力を利用し、滑り込むように矢が穴に納まるように配慮したことを特徴とする。【選択図】  図４
0003102302.tif 000002
【実用新案登録請求の範囲】
【請求項１】
ダーツゲームに使用する矢に丸く加工された円柱形状を持つ樹脂製の先端部（１）を装備する。この先端部は破損時にも交換が容易なように矢の本体に対しねじ込み式とする。
【請求項２】
ダーツボードには、この矢の先端形状に合わせた直径の穴（４）を穿った樹脂製のブロックを使用する。この穴の表面にはすり鉢状の加工（５）を施し、矢が穴に対し真正面ないし垂直に投げられなかった際にも投てきによる矢の推力を利用し、容易に矢が穴に収まるよう配慮する。
【考案の詳細な説明】
【技術分野】
【０００１】本考案はダーツゲームを行う際に使用する矢、またその矢を受けるためのダーツボードの構造に関するものである。
【背景技術】
【０００２】従来のダーツゲームは、先端の尖った針状の先端をした矢を、主にコルク等で成型されたダーツボードに対し投てきしていた。
【考案の開示】
【考案が解決しようとする課題】
【０００３】このような道具では、ダーツボードならびにその周辺を傷つける可能性が高く、人体に対しても少なからず危険性があった。本考案はこの欠点を除くためになされたものである。
【課題を解決するための手段】
【０００４】矢の先端部分を先が丸く成型された円柱状の樹脂とし、ダーツボードにはその先端部分に対応した直径を持つ円形の穴を無数に設けた樹脂を使用する。
また、ダーツボードに設けられた穴の表面にはすり鉢状の加工を行う。
【考案の効果】
【０００５】ダーツボード上の穴に施されたすり鉢状の加工により、矢が穴に対し垂直ないし真正面へ投てきされなかった場合でも、投てきによって矢にもたらされた推力を利用して滑り込むように穴へ収まり、初心者でも安定した得点を得ることができる。
ダーツボードに穿つ穴は、矢の先端部分の直径と同一の直径とすることにより、一旦ダーツボードに刺さった矢が容易には抜けにくい。
また、先端部が丸く加工された矢は人体に対する危険性が極めて低い。
【考案を実施するための最良の形態】
【０００６】投てきは通常のダーツゲームと同様に行う。
【実施例】
【０００７】以下、本案の実施例について説明する。
（イ）矢にはダーツボードならびに周囲・人体を傷つけにくい、軟性を持った樹脂製の先端部（１）を装着する。この先端部は柔軟性を持つ為に折れ曲がることが想像でき、その際に交換が容易なよう、本体にねじ込む方式により取り付けるものとする。先端部は円柱状であるが、矢の本体部分（２）との段差を無くす為、先端部の接合箇所には円錐状の加工を行う（３）。
（ロ）ダーツボード部に無数に設けられた穴（４）は、一旦穴に入った矢が抜け落ちることを防ぐ為、矢の先端部（１）と直径を同じとする。
【産業上の利用可能性】
【０００８】
【図面の簡単な説明】
【０００９】
【図１】矢を横から見た図面である。
【図２】ダーツボードを正面から見た図面である。
【図３】ダーツボードに設けられた穴の拡大斜視図である。
【図４】ダーツボードに設けられた穴の拡大断面図である。
【図５】矢がダーツボードに設けられた穴に納まる図である。
【符号の説明】
【００１０】１矢の先端部  ２矢の本体部分  ３円錐状の加工
４ダーツボードに設けられた穴
５ダーツボードに設けられた穴表面におけるすり鉢状加工の斜視図
６ダーツボードに設けられた穴表面におけるすり鉢状加工の断面図
【図１】
0003102302.tif 000003
【図２】
0003102302.tif 000004
【図３】
0003102302.tif 000005
【図４】
0003102302.tif 000006
【図５】
0003102302.tif 000007
【手続補正書】
【提出日】平成16年1月14日(2004.1.14)
【手続補正１】
【補正対象書類名】実用新案登録請求の範囲
【補正対象項目名】全文
【補正方法】変更
【補正の内容】
【実用新案登録請求の範囲】
【請求項１】
（１）ダーツゲームに使用する矢に、先端が丸く加工された円柱形状を持つ樹脂製の針を装備する。（２）先端部は破損時にも交換が容易なように矢の本体に対しねじ込み式とする。以上からなるダーツの矢。
【請求項２】
（１）請求項１記載の矢の先端形状に合わせた直径の穴（４）（５）を無数に設けた樹脂製のブロックを使用する。（２）この穴の周囲にはすり鉢状の加工（６）を施し、矢が穴に対して真正面ないし垂直に投げられなかった際にも投てきによる矢の推力を利用し、容易に矢が穴に納まるよう配慮する。以上からなるダーツボード。
【手続補正２】
【補正対象書類名】明細書
【補正対象項目名】全文
【補正方法】変更
【補正の内容】
【考案の詳細な説明】
【技術分野】
【０００１】本考案はダーツゲームを行う際に使用する矢、及びその矢を受けるためのダーツボードの構造に関するものである。
【背景技術】
【０００２】従来のダーツゲームは、金属で造られた針状の先端を持つ矢を主にコルク等で成型されたダーツボードに対し投てきしていた。
【考案の開示】
【考案が解決しようとする課題】
【０００３】このような道具では、ダーツボードならびにその周辺を傷つける可能性が高く、人体に対しても少なからず危険性があった。また、木に釘を打ち込むかのようにダーツボードへ矢を刺すために、ダーツボードの耐久性にも問題があった。本考案はこの欠点を除くためになされたものである。
【課題を解決するための手段】
【０００４】矢の先端部分を先が丸く成型された円柱状の樹脂とし、ダーツボードにはその先端部分に対応した直径を持つ円形の穴を無数に設けた樹脂製のブロックを使用する。また、ダーツボードに設けられた穴の表面にはすり鉢状の加工を行う。
【考案の効果】
【０００５】ダーツボード上の穴に施されたすり鉢状の加工により、矢が穴に対し垂直ないし真正面へ投てきされなかった場合でも、投てきによって矢にもたらされた推力を利用して滑り込むように穴へ収まり、初心者でも安定した得点を得ることができ、従来の道具と同様の娯楽性を維持できる。ダーツボードに穿つ穴は、矢の先端部分の直径と同一の直径とすることにより、一旦ダーツボードに刺さった矢が容易には抜けにくい。予め矢の先端部分に対応する直径の穴をダーツボードに設けておき、それに対応した樹脂の先端を持つ矢を同時に使用することにより、従来の道具の様に投てきによってダーツボードに穴が開いたりその穴が残ることが無く、耐久性に優れる。また、先端部が丸く加工された矢は人体に対する危険性が極めて低い。
【考案を実施するための最良の形態】
【０００６】投てきは通常のダーツゲームと同様に行う。
【実施例】
【０００７】以下、本案の実施例について説明する。（イ）矢にはダーツボードならびに周囲・人体を傷つけにくい、柔軟性を持った樹脂製の先端部（１）を装着する。この先端部は柔軟性を持つ為に折れ曲がることが想像でき、その際に交換が容易なよう、本体にねじ込む方式により取り付けるものとする。先端部は円柱状であるが、折れ曲がりに対する強度確保のため矢の本体部分（２）と樹脂製の先端部の接合箇所は円錐状の形状（３）とする。（ロ）ダーツボード部に無数に設けられた穴（４）（５）は、一旦穴に入った矢が抜け落ちることを防ぐ為、矢の先端部（１）と直径を同じとする。（ハ）ターツボードに設ける穴の周囲にはすり鉢状の加工（６）を施し、樹脂製の先端部を持つ矢が容易に穴に収まるよう配慮する。
【産業上の利用可能性】
【０００８】
【図面の簡単な説明】
【０００９】
【図１】矢を横から見た図面である。
【図２】従来の、針状の先端部を持つ矢を横から見た図面である。
【図３】ダーツボードを正面から見た図面及びその一部の拡大図である。
【図４】ダーツボードの一部の正面図（ａ）及び断面図（ｂ）である。
【図５】ダーツボードの一部の斜視図である。
【図６】矢がダーツボードに設けられた穴に納まる状態を示す作用図である。
【符号の説明】
【００１０】１樹脂製の先端部  ２矢の本体部分  ３円錐状の加工４、５ダーツボードに無数に設けられた穴６ダーツボードに設けられた穴周囲のすり鉢状加工
【手続補正３】
【補正対象書類名】図面
【補正対象項目名】全図
【補正方法】変更
【補正の内容】
【図１】
0003102302.tif 000008
【図２】
0003102302.tif 000009
【図３】
0003102302.tif 000010
【図４】
0003102302.tif 000011
【図５】
0003102302.tif 000012
【図６】
0003102302.tif 000013